(57)【要約】【課題】植物が大きくなるとポットや植木鉢も大きくしなければならなかった。【解決手段】ポットや植木鉢の形状をした用具本体にパイプを設けて、パイプの中に根を張ることができるようにした。用具本体とパイプとを別体とし、パイプを用具本体の底と周壁の双方又は一方に設けた嵌合穴に嵌め込み可能とした。用具本体とパイプとを一体成形とした。パイプの下部に継ぎ足し用パイプを連結可能にした。下端に通気機能を備えたキャップを取り付けた。キャップの上から水漏れ防止の外蓋を取り付けた。植物用具を２以上用意し、それら植物用具の筒を連結して植物装置とした。【選択図】　　　図１
2004105163.tif 000002
【特許請求の範囲】
【請求項１】
ポット状、植木鉢状等の用具本体（１）の底（５）と周壁（４）の双方又はいずれか一方に、用具本体（１）の外に突出するパイプ（２）が設けられたことを特徴とする植物用具。
【請求項２】
ポット状、植木鉢状等の用具本体（１）の底（５）と周壁（４）の双方又はいずれか一方に、用具本体（１）の外に突出するパイプ（２）が設けられ、パイプ（２）の周壁（４）に通水、通気などが可能な孔、溝などの開口部（３１）が設けられたことを特徴とする植物用具。
【請求項３】
ポット状、植木鉢状等の用具本体（１）の底（５）と周壁（４）の双方又はいずれか一方に、用具本体（１）の外に突出するパイプ（２）が設けられ、パイプ（２）が用具本体（１）で育苗又は栽培された植物の根が伸びることのできる長さ、太さ等であることを特徴とする植物用具。
【請求項４】
請求項１乃至請求項３のいずれかに記載の植物用具において、パイプ（２）は用具本体（１）と一体または別体であり、別体であるパイプ（２）は用具本体（１）の底（５）と周壁（４）の双方又は一方に設けられた嵌合穴（３）に嵌め込み可能であることを特徴とする植物用具。
【請求項５】
請求項１乃至請求項４のいずれかに記載の植物用具において、パイプ（２）の下部に継ぎ足し用パイプ（６）を脱着可能であることを特徴とする植物用具。
【請求項６】
請求項１乃至請求項５のいずれかに記載の植物用具であって、用具本体（１）とパイプ（２）と継ぎ足し用パイプ（６）のいずれか一または二以上の内部に吸水材（２６）が収容されたことを特徴とする植物用具。
【請求項７】
請求項１乃至請求項６のいずれかに記載の植物用具であって、パイプ（２）又は継ぎ足し用パイプ（６）の下端にキャップ（２８）が脱着可能であることを特徴とする植物用具。
【請求項８】
請求項１乃至請求項６のいずれかに記載の植物用具であって、パイプ（２）若しくは継ぎ足し用パイプ（６）の下端に装着したキャップ（２８）の外側に底蓋（２９）を脱着可能であることを特徴とする植物用具。
【請求項９】
請求項１乃至請求項８のいずれかに記載の植物用具（２０）のパイプ（２）を差込可能な筒状の差込部（４１）が基盤（５０）の２箇所以上に形成され、差込部（４１）が基盤（５０）の下方と上方の両方又はいずれか一方にのみ突設されたことを特徴とする植物用具支持台。
【請求項１０】
請求項１乃至請求項８のいずれかに記載の植物用具（２０）のパイプ（２）を差込可能な筒状の差込部（４１）が基盤（５０）の２箇所以上に形成され、基盤（５０）に給水パイプ（４２）も形成され、差込部（４１）と給水パイプ（４２）とが給水パイプ（４２）内の液体を差込部（４１）に供給するホース、パイプ等の流通具（４３）で連結され、差込部（４１）が基盤（５０）の下方と上方の両方又はいずれか一方にのみ突設されたことを特徴とする植物用具支持台。
【請求項１１】
請求項１乃至請求項８のいずれかに記載の植物用具（２０）を二以上用意し、それら植物用具（２０）のパイプ（２）を直接又は間接に連結したことを特徴とする植物用装置。
【請求項１２】
請求項１乃至請求項８のいずれかに記載の植物用具（２０）と、当該植物用具（２０）を支持可能な支持台（４０）とを備え、支持台（４０）にパイプ（２）を差込可能な差込部（４１）が形成され、差込部（４１）が基盤（５０）の下方にのみ、または下方と上方の両方に突設されたことを特徴とする植物用装置。
【請求項１３】
請求項１乃至請求項８のいずれかに記載の植物用具（２０）と、当該植物用具（２０）を支持可能な支持台（４０）とを備え、支持台（４０）はパイプ（２）を差込可能な差込部（４１）と、給水パイプ（４２）とが形成され、差込部（４１）と給水パイプ（４２）とが給水パイプ（４２）内の液体を差込部（４１）に供給するホース、パイプ等の流通具（４３）で連結され、差込部（４１）が基盤（５０）の下方にのみ、または下方と上方の両方に突設されたことを特徴とする植物用装置。
【請求項１４】
請求項２記載の開口部（３１）を供えた植物用具（２０）と、当該植物用具（２０）を支持可能な支持台（４０）とを備え、支持台（４０）はパイプ（２）を差込可能な差込部（４１）と、液体を供給可能な液体供給部（４２）とが形成され、液体供給部（４２）内の液体が差込部（４１）に差し込まれたパイプ（２）の前記開口部（３１）からパイプ（２０）内に流入可能であることを特徴とする植物用装置。
【発明の詳細な説明】
【０００１】
【発明の属する技術分野】
本発明はポット、植木鉢等と同様に、バラをはじめとする花木、草木、野菜といった各種植物の育苗、栽培、展示、生け花等に使用可能な植物用具と、それを利用した植物用装置に関するものであり、一つで使用することも、複数個組み合わせて使用することも可能なものである。
【０００２】
【従来の技術】
植物の栽培には様々な栽培用具が使用されている。従来の栽培用具には植木鉢や軟質樹脂製のポット（通常は黒色）等がある。従来は栽培する植物の大きさに合わせて栽培用具の大きさ（サイズ）、材質等を選択して使用していた。
【０００３】
【発明が解決しようとする課題】
従来の植木鉢や軟質樹脂製のポットは、大きな植物や大きく成長する植物を栽培する場合は大きなものを使用している。その場合、持ち運び、移動等の取り扱いが面倒であるとか、栽培に場所をとるといった難点があった。また、従来の植木鉢や軟質樹脂製のポットは植物の育苗や栽培には適するが、植物の展示、生け花等に使用するには不向きであった。
【０００４】
【課題を解決するための手段】
本発明は小型、軽量で、大きな植物や大きく成長する植物の栽培や展示に使用することができ、また、花を生けるのにも使用でき、省スペース化が可能であり、取り扱いも容易であり、水耕栽培にも使用可能であり、二以上を組み合わせて植物の育苗、栽培、展示、花生け等に使用することもできる植物用具と、それを使用した植物用装置を提供することにある。
【０００５】
本件出願の請求項１記載の植物用具は、ポット状、植木鉢状といった用具本体１の底５と周壁４の双方又はいずれか一方に、容器本体１の外に突出するパイプ２が設けられたものである。
【０００６】
本件出願の請求項２記載の植物用具は、ポット状、植木鉢状等の用具本体１の底５と周壁４の双方又はいずれか一方に、用具本体１の外に突出するパイプ２が設けられ、パイプ２の周壁４に通水、通気などが可能な孔、溝などの開口部３１が設けられたものである。
【０００７】
本件出願の請求項３記載の植物用具は、ポット状、植木鉢状等の用具本体１の底５と周壁４の双方又はいずれか一方に、用具本体１の外に突出するパイプ２が設けられ、パイプ２が用具本体１で育苗又は栽培された植物の根が伸びることのできる長さ、太さ等であることを特徴とするものである。
【０００８】
本件出願の請求項４記載の植物用具は、請求項１乃至請求項３のいずれかに記載の植物用具において、パイプ２は用具本体１と一体または別体であり、別体であるパイプ２は用具本体１の底５と周壁４の双方又は一方に設けられた嵌合穴３に嵌め込み可能なものである。
【０００９】
本件出願の請求項５記載の植物用具は、請求項１乃至請求項４のいずれかに記載の植物用具において、パイプ２の下部に継ぎ足し用パイプ６を脱着可能なものである。
【００１０】
本件出願の請求項６記載の植物用具は、請求項１乃至請求項５のいずれかに記載の植物用具であって、用具本体１とパイプ２と継ぎ足し用パイプ６のいずれか一または二以上の内部に、吸水材２６が収容されたものである。
【００１１】
本件出願の請求項７記載の植物用具は、請求項１乃至請求項６のいずれかに記載の植物用具２０であって、パイプ２又は継ぎ足し用パイプ６の下端にキャップ２８が脱着可能なものである。
【００１２】
本件出願の請求項８記載の植物用具は、請求項１乃至請求項６のいずれかに記載の植物用具２０であって、パイプ２又は継ぎ足し用パイプ６の下端に装着したキャップ２８の外側に底蓋２９を脱着可能としたものである。
【００１３】
本件出願の請求項９記載の植物用具支持台は、請求項１乃至請求項８のいずれかに記載の植物用具２０のパイプ２を差込み可能な筒状の差込部４１が基盤５０の２箇所以上に形成され、差込部４１が基盤５０の下方と上方の両方又はいずれか一方にのみ突設されたものである。
【００１４】
本件出願の請求項１０記載の植物用具支持台は、請求項１乃至請求項８のいずれかに記載の植物用具２０のパイプ２を差込可能な筒状の差込部４１が基盤５０の２箇所以上に形成され、基盤５０に給水パイプ４２も形成され、差込部４１と給水パイプ４２とが給水パイプ４２内の液体を差込部４１に供給するホース、パイプ等の流通具４３で連結され、差込部４１が基盤５０の下方と上方の両方又はいずれか一方にのみ突設されたものである。
【００１５】
本件出願の請求項１１記載の植物装置は、請求項１乃至請求項８のいずれかに記載の植物用具２０を二以上用意し、それら植物用具２０のパイプ２が直接又は間接に連結されたものである。
【００１６】
本件出願の請求項１２記載の植物装置は、請求項１乃至請求項８のいずれかに記載の植物用具２０と、当該植物用具２０を支持可能な支持台４０とを備え、支持台４０にパイプ２を差込可能な差込部４１が形成されたものである。
【００１７】
本件出願の請求項１３記載の植物装置は、請求項１乃至請求項８のいずれかに記載の植物用具２０と、当該植物用具２０を支持可能な支持台４０とを備え、支持台４０はパイプ２を差込可能な差込部４１と、給水パイプ４２とが形成され、差込部４１と給水パイプ４２とが給水パイプ４２内の液体を差込部４１に供給するホース、パイプ等の流通具４３で連結されたものである。
【００１８】
本件出願の請求項１４記載の植物装置は、請求項２記載の開口部３１を供えた植物用具２０と、当該植物用具２０を支持可能な支持台４０とを備え、支持台４０はパイプ２を差込可能な差込部４１と、液体を供給可能な液体供給部４２とが形成され、液体供給部４２内の液体が差込部４１に差し込まれたパイプ２の前記開口部３１からパイプ２０内に流入可能でなものである。
【００１９】
【発明の実施の形態】
（実施形態１）
本件発明の植物用具の実施例を図面に基づいて説明する。この植物用具は図１のようにポットの形状をした植物の栽培が可能な用具本体１と、それに取り付けたパイプ２とからなり、用具本体１にのみ、又は用具本体１とパイプ２との双方に、土、ロックウール、ウレタン、オアシス等（以下これらをまとめて培土という）を入れて、用具本体１で育苗或いは栽培（以下まとめて栽培という）した植物の根がパイプ２内に伸びて（張って）成長することができるようにしてある。
【００２０】
前記用具本体１は育苗したり、植物を栽培したり、生花を差し込んだりすることができるものである。図２のように、用具本体１の底５の中央に嵌合穴３を開口し、その嵌合穴３に用具本体１の内側からパイプ２を差し込んで、図３のようにパイプ２の下方（外側）に突出させてある。用具本体１は作り易さ、取り扱い、強度等の面から樹脂製、特に硬質樹脂が好ましいが、通常の植木鉢と同様に陶器製とか、それ以外の材質製とすることもできる。樹脂製で肉が薄い場合は周壁に縦向きにリブ（突条）を多数本形成するなどして補強することができる。用具本体１、嵌合穴３の寸法は任意に選択することができる。一例として、用具本体１の口７の直径約６ｃｍ、底５の直径約ｌ４ｃｍ、嵌合穴３の直径約２ｃｍとしてある。
【００２１】
パイプ２も硬質樹脂製とすると取り扱い易く、強度も優れるが、それに限定されず、任意に選択することができる。パイプ２の長さは栽培する植物の種類にあわせて任意に選択して、植物の根が十分に張ることができる長さにする。パイプ２は長手方向両端が開口して貫通している。図２のパイプ２は上端にリング状の鍔１４が形成され、その鍔１４が嵌合穴３の周縁に係止して嵌合穴３から抜けないようにしてある。鍔１４は嵌合穴３からのパイプ２の抜けを防止できる形状、構造であればリング状以外の形状、例えば、数本の突起をパイプ２の上端から外側に放射状に突設したものでもよい。パイプ２は直線状ではなく、湾曲したものとか、太さが長手方向に異なるもの等であってもよい。
【００２２】
（実施形態２）
本発明の植物用具は図４に示すように用具本体１とパイプ２とを樹脂で一体成型することもできる。この場合はパイプ２を短くして、そのパイプ２に図４〜図６のように、パイプ２とは別体に成型された継ぎ足し用パイプ６を脱着することもできる。継ぎ足し用パイプ６は所望本数連結することができる。継ぎ足し用パイプ６の長さは任意の長さに選択することができる。パイプ２だけの場合でも、継ぎ足し用パイプ６を所望本数連結した場合でも、パイプの全長を図６のように手で持てる長さにすると持ち運びに便利である。図５のように継ぎ足し用パイプ６は下端部２５の径を上端側よりも細くして嵌め込み式で連結できるようにしてある。パイプ２への継ぎ足し用パイプ６の連結はねじ込み式や、接着剤による連結等であってもよい。
【００２３】
図７（ａ）〜（ｃ）では用具本体１及びパイプ２内には、ロックウール、ウレタン、発泡スチロール等の吸水材２６を入れてある。吸水材２６は図７（ｂ）のようにパイプ２の下端から突出させたり、図７（ｃ）のように継ぎ足し用パイプ６の下端から突出させたりすることができる。このようにすると用具本体１に栽培した植物を水耕栽培する場合に、吸水材２６の突出部分を液肥に浸してその部分から液肥が吸い上げられるようにすることができる。吸水材２６は用具本体１のみに入れることもできる。
【００２４】
図５、図７（ａ）に示すように、継ぎ足し用パイプ６の下端には、底面に小孔２７が開いている半球状のキャップ２８を被せて、継ぎ足し用パイプ６内の給水材２６がパイプ６から抜け落ちないようにすることができる。キャップ２８の小孔２７からは液が抜ける。図７（ａ）のようにキャップ２８の外側には底蓋２９を被せて、キャップ２８の小孔２７から落下する液が収容されて、外部へこぼれ落ちないようにすることができる。この場合、底蓋２９の底面中央から上方に突出する栓３０がキャップ２８の小孔２７に差し込まれるようにすることもできる。底蓋２９はキャップ２８の外側から被せるのではなく、パイプ２や継ぎ足し用パイプ６に直接被せることもできる。底蓋２９はその底面３１を平らにして、それを被せた用具本体１をテーブルの上に立てることができるようにしてある。キャップ２８及び底蓋２９の形状、サイズも任意のものとすることができる。
【００２５】
（実施形態３）
本発明の植物用具は図８に示すようにパイプ２を用具本体１の周壁４に取り付けることもできる。この場合は周壁４の下部に嵌合穴３を開口し、その嵌合穴３にパイプ２を差し込んである。この場合も、パイプ２を用具本体１と一体に成形することもできる。
【００２６】
（使用方法１）
図１は本件発明の植物用具でバラを栽培した場合である。バラの根は用具本体１からパイプ２内へ伸びて張ることができるため、用具本体１は小さくとも植物は大きく生育することができる。栽培する植物はどのようなものであってもよい。
【００２７】
（使用方法２）
本件発明の植物用具は水耕栽培用のポットとか植木鉢として使用することもできる。水耕栽培に使用する場合は図９のように水耕栽培用ベッド１５の蓋８の穴にパイプ２を差し込んで用具本体１を蓋８に支持すると共に、パイプ２の下端を蓋８の液体通路９内に突出させて、パイプ２内の根が水に浸かるようにし、液体通路９内を流れる栽培液がパイプ２内の根に吸収されて植物が生育するようにする。
【００２８】
（使用方法３）
本件発明の植物用具を水耕栽培用のポットとして使用する場合、図７（ｂ）（ｃ）のようにパイプ２内、継ぎ足し用パイプ６内にも吸水材２６を充填し、吸水材２６の下端をパイプ２、継ぎ足し用パイプ６の下端から突出させ、そのパイプ２を蓋８の穴に差し込んで、パイプ２の下端パイプ２の下端から突出している吸水材２６の下端を、図１０のように液体通路９内を流れる栽培液内にまで差し込んで水に浸かるようにして、液体通路９内の栽培液が吸水材２６に吸水されてパイプ２内の根に吸収されるようにすることもできる。図９、図１０のように水耕栽培する場合、パイプ２に継ぎ足し用パイプ６を連結してパイプ２と継ぎ足し用パイプ６とを共に蓋８の穴に差し込んでも、パイプ２に継ぎ足し用パイプ６を連結せず、パイプ２だけを蓋８の穴に差し込んでもよい。
【００２９】
（使用方法４）
本件発明の植物用具は図１１に示すように、水耕栽培用ベッドの蓋８の穴にパイプ２を差し込んで用具本体１を蓋８に支持し、用具本体１に供給パイプ１０から液体を供給して、用具本体１内の植物を栽培する。供給パイプ１０には親管１１から液体が供給される。
【００３０】
（植物装置の実施例１）
図１２に示すように本発明の植物用具２０を組み合わせて植物装置とすることができる。図１２の植物装置は多数の受け具２１を径の細い連結パイプ１２により太い集配パイプ１３に連結し、夫々の受け具２１に植物用具２０の筒２を差し込んで受け具２１にのせて、用具本体１に供給された液体が受け具２１内に流れ出て、受け具２１から集配パイプ１３に流れ込むようにしてある。この場合、各連結パイプ１２を集配パイプ１３に向けて多少下り傾斜にして、夫々の植物用具２０に供給される液体が集配パイプ１３に流れ込み易くするのがよい。これとは逆に、集配パイプ１３から各植物用具２０に液体が供給されるようにすることもできる。この場合は、各連結パイプ１２を夫々の植物用具２０に向けて多少下り傾斜にして、集配パイプ１３から夫々の植物用具２０に供給される液体が受け具２１に流れ込み易くし、受け具２１に溜まった液体が筒から伸び出した根に吸収されるようにするのがよい。いずれの場合も、植物用具２０に植物を植えて栽培したり、植物を栽培した状態で室内や屋外に飾ったりすることができる。植物用具２０の連結数、連結位置、配置等は図示した以外の任意とすることができる。
【００３１】
（植物装置の実施例２）
本発明の植物用具２０は図１３に示すように組合わせて植物装置とすることができる。この植物装置はサイズの大きな用具本体１に取り付けたパイプ２に、その周囲の用具本体１のパイプ２を差し込んで連結したものである。図１３の場合も用具本体１に植物を植えて栽培し、そのまま展示したり、飾ったりすることができる。この場合も、栽培用具２０の連結数、連結位置、配置等は図示した以外の任意とすることができる。
【００３２】
（植物装置の実施例３）
図１２、図１３の植物装置は用具本体１に植物を植え、それを室内とか屋外に置いて植物展示用とすることもできる。また、図１１、図１２の植物装置の用具本体１内に、植物を植えた他のポットや植木鉢を入れたり、用具本体１内にロックウール、ウレタン等の吸水材を入れ、それに切り花を差し込んだりして展示することもできる。
【００３３】
（植物装置の実施例４）
本件発明の植物用具は図１４に示すように、生け花用の容器５０に吸水材５１を収容し、吸水材５１に用具本体１の下のパイプ２を差し込み、その用具本体１に花や木の枝などを生けて、生け花用の植物装置とすることもできる。容器５０は水盤とか花瓶等とすることもできる。花瓶の場合は吸水材５１を使用せずに、花瓶に直接、用具本体１のパイプ２を差し込み、その用具本体１に花や木の枝などを生けることができる。
【００３４】
（植物装置の実施例５）
本発明の植物用具２０は図１５のように支持台４０と組み合わせて植物装置とすることもできる。これは植物用具２０と、当該植物用具２０を支持可能な支持台４０とを備え、支持台４０の下方にパイプ２を差込可能な差込部４１を３本形成したものである。支持台４０の基盤４７の形状は任意とすることができ、例えば、図１５の他に、ハート形、放射状、多角形といったようにすることもできる。支持台４０に形成される差込部４１の位置、数、長さ等も任意に決定することができる。
【００３５】
図１６の支持台４０は、基盤４７の三方の先端に差込部４１を形成し、基盤４７の中央部に給水パイプ４２を形成し、差込部４１と給水パイプ４２とがホース、パイプ等の流通具４３で連結されて、給水パイプ４２内の液体が差込部４１に供給されるようにしてある。
【００３６】
図１７の支持台４０は、基盤４７の周囲に周縁４８を立設して、基盤４７に供給した液体が周縁４８の内側に貯留し、貯留した液体が給水パイプ４２に流れ込み、給水パイプ４２から流通具４３を通過して夫々の差込部４１に流れ込むようにしてある。差込部４１に流れ込んだ液体は、差込部４１に差し込まれている植物用具２０のパイプ２の底の開口部から吸水されるようにしてある。
【００３７】
図１８の支持台４０は、基本形状は図１７のものと同じであり、異なるのは差込部４１を基盤４７の上面よりも上方まで突出させたことである。上方への突出長は任意に決定することができる。差込部４１は筒状以外の形状とすることもできる。また、差込部４１は基盤４７の上方にだけ突出させることもできる。
【００３８】
（植物装置の実施例６）
図１９に示す植物装置は、用具本体１の外に突出するパイプ２の周壁４に通水、通気などが可能な開口部３１が設けられた植物用具２０を支持台４０にセットしたものである。図１９の支持台４０は基盤４７に植物用具２０のパイプ２を差込可能な差込部４１と、液体を供給可能な液体供給部４２とが形成され、基盤４７の外周縁に周縁４８が形成されている。基盤４７の上面中央部は差込部４１に向けて下り傾斜の斜面に形成され、基盤４７の上面外周部が差込部４１に向けて下り傾斜の斜面に形成されている。この植物装置では、液体供給部４２内に供給された液体が差込部４１に差し込まれたパイプ２の開口部３１からパイプ２内に流入可能である。図１９の開口部３１は孔であるが、開口部３１は溝でも良い。開口部３１はパイプ２の周方向の２箇所以上とか、パイプの高さ方向の２箇所以上に開口することもできる。
【００３９】
【発明の効果】
本発明の植物用具は次のような効果がある。
（１）植物の根がパイプ内に伸びて張ることができるため、用具本体が小さくとも、それに栽培された植物は、大きなポットや植木鉢で栽培したのと同様に植物が大きく成長可能となる。
（２）パイプを手で持って持ち運んだり、出荷用の箱に梱包したりすることができるので、取り扱いに便利である。
（３）パイプを水耕栽培用ベッドの蓋の穴に差し込み易く、差し込むと安定するため、水耕栽培用ポットとして使用するのにも適する。
（４）パイプを地中に差し込んで路地植えにすることもできる。この場合、パイプ内に根が張っているため、路地植えしてからの根付きもよい。
（５）多くの用具本体をパイプで連結して各種形状に組み合せることができるため、用具本体に植物を植えたまま展示用とし使用することができる。
（６）パイプの長さ、太さ、形状、栽培用具本体からのパイプの突出位置等を変えることにより、多種多様の組合せが可能となり、展示場の雰囲気に合わせた植物の展示が可能となる。
（７）パイプ内に根が張ったまま包装、出荷、販売等を行うことができるので、根が傷まず、植物が長持ちする。
【００４０】
本発明に係る植物用具は、上記の他に、以下のような効果も有る。
（１）継ぎ足し用のパイプによって栽培用具の高さを変えることができるので、持ち運び用、展示用といった目的に応じた形状とすることができる。
（２）パイプ内に吸水材を入れれば水耕栽培に適する。
（３）パイプ下端に通孔のあるキャップを被せれば、パイプ内の吸水材がパイプ下端から抜け落ちない。しかも、キャップの通孔から水が抜けるので、吸水材が水を含んでいる状態でキャップを被せても、パイプ内で根腐れがしない。
（４）キャップの外側に底蓋を被せれば、吸水材からキャップに流れ込んだ水を底蓋で収受することができ、水が垂れ落ちない。
（５）底蓋が、用具本体が立つように用具本体を支持することができるものであるため、底蓋をパイプの下端に被せれば用具本体を立てて飾ることができ、用具本体の扱いが容易になる。
【００４１】
本発明の植物用具支持台は、植物用具のパイプを差込可能な筒状の差込部が形成されているため、植物用具の差込が容易であり、差し込まれた植物用具が安定する。また、給水パイプも形成され、差込部と給水パイプとが流通具で連結されて、給水パイプ内の液体が流通具を通して差込部に供給されるので、差込部に差し込まれている植物用具への給水が容易になる。
【００４２】
本発明の植物装置は、用具本体を二以上連結して、夫々の用具本体に同じ種類の植物を植えたり、異なる種類の植物を植えたりして、一つの植物装置で変化に富んだ植物の栽培が可能となる。また、植物を栽培したまま屋外や室内に展示することもできる。
【００４３】
本発明の植物装置は、植物を栽培した用具本体を二以上連結して屋外や室内に展示することができる。この場合、連結した二以上の用具本体に同じ種類の植物を展示したり、異なる種類の植物を展示したりすることができるので、一つの植物装置で変化に富んだ植物の展示が可能となる。また、用具本体の連結数や、連結位置、配置等の組合せを変えることにより、変化に富んだ展示が可能となる。
【００４４】
本発明の植物用具は水盤や花瓶などを利用して生け花装置として利用することもできる。
【図面の簡単な説明】
【図１】本発明の植物用具でバラを栽培した状態を示す縦断面図。
【図２】本件発明の植物用具の分解図。
【図３】本件発明の植物用具の斜視図。
【図４】用具本体と筒とを一体化した本件発明の植物用具の縦断面図。
【図５】パイプに継ぎ足し用パイプを連結し、継ぎ足し用パイプの下端に打ちキャップ、底蓋を被せる状態の説明斜視図。
【図６】本件発明の植物用具のパイプを手で握れるようにした状態の説明図。
【図７】（ａ）〜（ｃ）は本発明の植物用具の実施形態の異なる例の断面図。
【図８】パイプを用具本体の周壁に設けた例の斜視図。
【図９】本件発明の植物用具を使用して水耕栽培する場合の斜視図。
【図１０】本件発明の植物用具を使用して水耕栽培する場合の他の例の斜視図。
【図１１】本件発明の植物用具を使用して水耕栽培する場合の他の例の斜視図。
【図１２】本件発明の植物装置の斜視図。
【図１３】本件発明の植物装置の異なる例の斜視図。
【図１４】本件発明の植物用具を生け花装置として使用する場合の説明図。
【図１５】本件発明の植物用具支持台の一例を示す説明図。
【図１６】本件発明の植物用具支持台の第２の例を示す説明図。
【図１７】本件発明の植物用具支持台の第３の例を示す説明図。
【図１８】本件発明の植物用具支持台の第４の例を示す説明図。
【図１９】本件発明の植物用具支持台を利用した植物装置の縦断面。
【符号の説明】
１　用具本体
２　パイプ
３　嵌合穴
６　継ぎ足し用パイプ
２６　吸水材
２８　キャップ
２９　底蓋
３１　開口部
４０　支持台
４１　差込部
４８　周縁
【図１】
2004105163.tif 000003
【図２】
2004105163.tif 000004
【図３】
2004105163.tif 000005
【図４】
2004105163.tif 000006
【図５】
2004105163.tif 000007
【図６】
2004105163.tif 000008
【図７】
2004105163.tif 000009
【図８】
2004105163.tif 000010
【図９】
2004105163.tif 000011
【図１０】
2004105163.tif 000012
【図１１】
2004105163.tif 000013
【図１２】
2004105163.tif 000014
【図１３】
2004105163.tif 000015
【図１４】
2004105163.tif 000016
【図１５】
2004105163.tif 000017
【図１６】
2004105163.tif 000018
【図１７】
2004105163.tif 000019
【図１８】
2004105163.tif 000020
【図１９】
2004105163.tif 000021